(57)【要約】【課題】  固定調整部のオン／オフが切り替わるタイミングを意識できると共に、固定調整部のオン／オフ切替の操作性を向上する。【解決手段】  レベル調整装置１は、固定値のレベルを減衰するパッド１１と、可変ゲインの可変調整部１２とが縦続接続されて構成され、パッド１１のオン／オフ切替と、可変調整部１２のゲイン調整とが、操作制御部１４で行われる。操作子１４ａを操作して、パッド１１のオン／オフを切り替える切替点のゲインに達した際に、操作制御部１４は、パッド１１のオン／オフを切り替えると共に、切替の前後においてゲインの設定値が保持されるよう可変調整部１２のゲインを調整する。そして、パッド１１のオン／オフを切り替える際に、ゲインの設定値の更新を一時停止する。【選択図】  図１
2015185921.tif 000002
【特許請求の範囲】
【請求項１】
ゲインを調整する操作子と、
ゲインを固定値だけ減衰させる固定調整部と、ゲインを可変することのできる可変調整部とからなるレベル調整部と、
前記操作子が操作されてゲインが設定される際に、前記固定調整部を利用するか否かを切り替える切替部と、
前記固定調整部を利用するか否かの切り替えが判定されるとき、前記レベル調整部におけるゲインの設定値の更新を一時停止する制御部と、
を備えることを特徴とするレベル調整装置。
【請求項２】
前記切替部は、前記レベル調整部により設定されるゲインが、前記固定調整部を利用するか否かを切り替える切替点のゲインに達した際に、前記固定調整部を切り替えることを特徴とする請求項１記載のレベル調整装置。
【請求項３】
前記切替部は、前記操作子において、前記固定調整部を利用するか否かを切り替える操作がされた際に、前記固定調整部を切り替えることを特徴とする請求項１記載のレベル調整装置。
【発明の詳細な説明】
【技術分野】
【０００１】
この発明は、音響信号のレベルを調整するレベル調整装置に関する。
【背景技術】
【０００２】
従来から、デジタルミキサ等の音響信号処理装置においては、アナログ音響信号の入力部にゲインを調整可能な可変調整部を設け、入力されるアナログ音響信号のレベルを、ユーザの操作に従って調整できるようにされている。これは、アナログ入力端子から入力される音響信号がソースに応じた種々のレベルを有しており、種々のレベルを有するすべての音響信号の音響信号処理を最適に行えるように、入力される音響信号のレベルのバランスを整えるためである。
このようなレベル調整機能を実現する従来のレベル調整装置１００の構成を図６に示す(特許文献１参照)。図６に示す従来のレベル調整装置１００は、入力される音響信号が、音響信号のレベルを固定値だけ減衰させることのできる固定調整部（以下、「パッド」という）１１１に入力され、パッド１１１にはゲインを可変することのできるアンプからなる可変調整部１１２が縦続接続されて、可変調整部１１２からレベル調整された音響信号が出力される。パッド１１１をオンするとパッド１１１により減衰され、パッド１１１をオフするとパッド１１１では減衰されないようになる。そして、パッド１１１のオン／オフおよび可変調整部１１２に設定するゲインは、ユーザが操作する操作子１１３ａを備える操作制御部１１３により制御される。パッド１１１を設けることにより、レベル調整装置１００におけるゲインの調整範囲を、可変調整部１１２のみで可能なゲインの調整範囲よりも広くすることができる。
【０００３】
レベル調整装置１００のゲインの設定値の例を図２を用いて説明する。図２に示す例では、可変調整部１１２によるゲイン設定範囲が、例えば、＋１０ｄＢ（デシベル）から＋６０ｄＢの５０ｄＢのゲイン範囲とされ、固定調整部１１１による減衰量が、例えば、−２６ｄＢとされている。すると、パッド１１１をオフにして可変調整部１１２のみでゲイン調整を行う場合は、＋１０ｄＢから＋６０ｄＢのゲイン範囲Ａでゲインを設定することが可能になる。また、パッド１１１をオンにして可変調整部１１２とパッド１１１とを組み合わせて使う場合には−１６ｄＢから＋３４ｄＢのゲイン範囲Ｂでゲインを設定することが可能になる。これにより、レベル調整装置１００は、全体として−１６ｄＢから＋６０ｄＢのゲイン範囲でゲイン設定を行えるようになる。
【０００４】
従来のレベル調整装置１００においては、パッド１１１のオン／オフは操作制御部１１３により自動的に切り替わるよう構成されている。この場合、ゲイン範囲Ａとゲイン範囲Ｂとで重なるゲイン範囲が＋１０ｄＢから＋３４ｄＢであり、例えば、これらが重なるゲイン範囲の中央のゲインである＋２２ｄＢにおいて、パッド１１１のオン／オフを操作制御部１１３が自動的に切り替えるものとされている。例えば、パッド１１１がオンされている状態において、ユーザがゲインを上げるように操作制御部１１３における操作子１１３ａを操作した際に、パッド１１１の減衰量と可変調整部１１２のゲインとの合計が＋２２ｄＢに達したとする。すると、操作制御部１１３は、パッド１１１をオンからオフに切り替えると共に、パッド１１１の減衰量（−２６ｄＢ）が０ｄＢとなるゲインを補うために、操作制御部１１３が、＋２６ｄＢのゲイン分だけ小さくなるように可変調整部１１２のゲインを調整する。これにより、パッド１１１をオフしてもレベル調整装置１００の全体のゲインは、パッド１１１の切替前後において同じゲインが保持されるようになり、可変調整部１１２から出力される音響信号の音量は同じとなる。
【０００５】
また、パッド１１１がオフされている状態において、ユーザがゲインを下げるように操作制御部１１３における操作子１１３ａを操作した際に、可変調整部１１２のゲインが＋２２ｄＢまで下がったとする。すると、操作制御部１１３は、パッド１１１をオフからオンに切り替えると共に、パッド１１１による減衰量（−２６ｄＢ）を補うために、操作制御部１１３が、＋２６ｄＢのゲイン分だけ大きくなるように可変調整部１１２のゲインを調整する。これにより、パッド１１１をオンしてもレベル調整装置１００の全体のゲインは、パッド１１１の切替前後において同じゲインが保持されるようになり、可変調整部１１２から出力される音響信号の音量は同じとなる。しかしながら、パッド１１１のオン／オフの切替時には切替ノイズが生じるようになる。
【先行技術文献】
【特許文献】
【０００６】
【特許文献１】特開２０１１−１９９８０６号公報
【発明の概要】
【発明が解決しようとする課題】
【０００７】
従来のレベル調整装置１００では、パッド１１１のオン／オフは自動的に切り替わり、そのタイミングをゲインを調整しているユーザは意識できない。しかし、パッド１１１のオン／オフの切り替わりのタイミングでノイズが出るため、そのタイミングを意識してユーザはゲインを調整したいが、そのタイミングをユーザが意識できないという問題点があった。
そこで、本発明は、固定調整部のオン／オフが切り替わるタイミングを意識できるレベル調整装置を提供することを目的としている。
【課題を解決するための手段】
【０００８】
上記目的を達成するために、本発明のレベル調整装置は、ゲインを調整する操作子と、ゲインを固定値だけ減衰させる固定調整部と、ゲインを可変することのできる可変調整部とからなるレベル調整部と、前記操作子が操作されてゲインが設定される際に、前記固定調整部を利用するか否かを切り替える切替部と、前記固定調整部を利用するか否かの切り替えが判定されるとき、前記レベル調整部におけるゲインの設定値の更新を一時停止する制御部とを備えることを最も主要な特徴としている。
【発明の効果】
【０００９】
本発明のレベル調整装置は、固定調整部を利用するか否かのオン／オフが切り替えられる際に、レベル調整部におけるゲインの設定値の更新が一時停止されることから、固定調整部の切り替えのタイミングを、ユーザが意識できるようになる。
【図面の簡単な説明】
【００１０】
【図１】本発明の実施例のレベル調整装置の構成を示すブロック図である。
【図２】本発明にかかるレベル調整装置におけるゲインの設定値を示す図である。
【図３】本発明の第１実施例のレベル調整装置で実行されるゲイン操作処理のフローチャートである。
【図４】本発明の第１実施例のレベル調整装置で実行されるゲイン調整処理のフローチャートである。
【図５】本発明の第２実施例のレベル調整装置で実行されるゲイン操作処理２のフローチャートである。
【図６】従来のレベル調整装置の構成を示すブロック図である。
【発明を実施するための形態】
【００１１】
本発明の実施例のレベル調整装置の構成を示すブロック図を図１に示す。
図１に示すレベル調整装置１は、入力部１０から入力される音響信号（アナログ音響信号）が、音響信号のレベルを固定値だけ減衰させることのできる減衰器１１ａを備える固定調整部（以下、「パッド」という）１１に入力され、パッド１１にはゲインを可変することのできる可変ゲインのアンプ１２ａからなる可変調整部１２が縦続接続されて、可変調整部１２からレベル調整された音響信号が出力部１３に出力される。パッド１１は、減衰器１１ａを挿入する「オン」と、減衰器１１ａをスルーする「オフ」とを切り替えるスイッチを備え、パッド１１がオンの間は、入力信号を減衰器１１ａの減衰量だけ減衰して可変調整部１２へ送る。また、パッド１１がオフの間は、入力信号を減衰なしにそのまま可変調整部１２へ送る。本発明にかかるレベル調整装置１は、ユーザがゲインを調整する時に操作する操作子１４ａと、パッド１１のオン／オフを切り替える切替部および可変調整部１２のゲインを調整する制御部と、レベル調整装置１の各部の情報を表示するための表示部を備える操作制御部（ユーザインターフェイス）１４が設けられている。パッド１１を設けることにより、レベル調整装置１におけるゲインの調整範囲を、可変調整部１２のみで可能なゲインの調整範囲よりも広くすることができる。
【００１２】
本発明にかかるレベル調整装置１のゲインの設定値の例を示す図を図２に示す。図２に示す例では、可変調整部１２におけるアンプ１２ａの可変ゲイン設定範囲が、例えば、＋１０ｄＢ（デシベル）から＋６０ｄＢの５０ｄＢのゲイン範囲とされ、固定調整部１１の減衰器１１ａの減衰量が、例えば、−２６ｄＢとされる。すると、パッド１１をオフにして可変調整部１２のみでゲイン調整を行う場合は、＋１０ｄＢから＋６０ｄＢのゲイン範囲Ａでゲインを設定することが可能になる。また、パッド１１をオンにして可変調整部１２とパッド１１とを組み合わせて使う場合には−１６ｄＢから＋３４ｄＢのゲイン範囲Ｂでゲインを設定することが可能になる。また、ゲイン範囲Ａとゲイン範囲Ｂとが重なるゲイン範囲Ｃは、＋１０ｄＢから＋３４ｄＢとなる。これにより、レベル調整装置１は、全体として−１６ｄＢから＋６０ｄＢのゲイン範囲でゲイン設定を行えるようになる。なお、重なるゲイン範囲Ｃは、パッド１１のオン／オフに応じて可変調整部１２のゲインを調整することにより、パッド１１がオンからオフへ切り替えられてもオフからオンに切り替えられても、切替の前後において同じゲインの設定値を得ることができるゲイン範囲と云うことができる。
【００１３】
本発明にかかるレベル調整装置１の第１実施例においては、操作子１４ａとしてエンドレス操作子とされるインクリメンタルタイプのロータリーエンコーダのようなノブ型操作子とすることができる。このノブ型操作子は、操作位置の相対値（変化量）が検出される相対値型操作子とされて何回転でも回転操作することができ、右方向に回転した場合はゲインの現在の設定値を増大させることができ、左方向に回転した場合はゲインの現在の設定値を減少させることができる。このレベル調整装置１の第１実施例においては、パッド１１のオン／オフは操作制御部１４の切替部により自動的に切り替えられるようになる。上記した場合、重なるゲイン範囲Ｃが＋１０ｄＢから＋３４ｄＢとされ、この重なるゲイン範囲Ｃ内の設定したゲインを、パッド１１のオン／オフを自動的に切り替える切替点のゲインとすることができる。例えば、重なるゲイン範囲Ｃの中央のゲインである＋２２ｄＢを切替点のゲインとすることができ、パッド１１がオンされている状態において、ユーザがゲインを上げるように操作制御部１４における操作子１４ａを操作した際に、パッド１１の減衰量と可変調整部１２のゲインとの合計が切替点のゲイン（例えば、＋２２ｄＢ）に達したことが操作制御部１４で検出されたとする。すると、操作制御部１４の切替部は、パッド１１のスイッチをオン側の接点ｂからオフ側の接点ａに切り替える指示をパッド１１に出力すると共に、パッド１１がオフされて減衰量（−２６ｄＢ）が０ｄＢとなるゲインを補うために、操作制御部１４の制御部が、パッド１１がオフされて増加したゲイン分（＋２６ｄＢ）だけアンプ１２ａのゲインが小さくなる制御信号を可変調整部１２に与えて、アンプ１２ａのゲインを調整する。これにより、パッド１１がオフされるよう切り替えられてもレベル調整装置１の全体のゲインは、パッド１１の切替前後において同じゲインが保持されるようになり、可変調整部１２から出力部１３へ出力される音響信号の音量は同じとなる。
【００１４】
また、パッド１１がオフされている状態において、ユーザがゲインを下げるように操作制御部１４における操作子１４ａを操作した際に、可変調整部１２のゲインが切替点のゲイン（例えば、＋２２ｄＢ）に達したことが操作制御部１４で検出されたとする。すると、操作制御部１４の切替部は、パッド１１のスイッチをオフ側の接点ａからオン側の接点ｂに切り替える指示をパッド１１に出力すると共に、パッド１１がオンされて減衰器１１ａの減衰量（−２６ｄＢ）だけ減衰するゲインを補うために、操作制御部１４の制御部が、パッド１１の減衰量分（＋２６ｄＢ）だけアンプ１２ａのゲインが大きくなる制御信号を可変調整部１２に与えて、アンプ１２ａのゲインを調整する。これにより、パッド１１がオンされるよう切り替えられてもレベル調整装置１の全体のゲインは、パッド１１の切替前後において同じゲインが保持されるようになり、可変調整部１２から出力部１３へ出力される音響信号の音量は同じとなる。
本発明にかかるレベル調整装置１の第１実施例においては、パッド１１のオン／オフは操作制御部１４の切替部により自動的に切り替わるようになるが、切替部がパッド１１のオン／オフを切り替えた時に、操作制御部１４の制御部がゲインの設定値の更新を一時停止する構成を特徴としている。
【００１５】
本発明にかかるレベル調整装置１の第１実施例のレベル調整にかかる処理を、図３に示すゲイン操作処理のフローチャートで説明する。
操作制御部１４は、所定時間毎に操作子１４ａの操作を検出しており、操作子１４ａの操作（アンプ１２ａのゲインを調整するための回転操作）が検出されると図３に示すゲイン操作処理を起動する。ゲイン操作処理が起動されると、ステップＳ１０にて操作子１４ａの操作量にあわせて可変ゲイン値を更新し、ゲインの設定値を、更新後の可変ゲイン値と現在のパッド１１のオン／オフに応じて決まる新たな設定値に更新し、この更新された新たな設定値をゲインの現在値として有効にする。次いで、ステップＳ１１にて新たな設定値が切替点のゲインに達したかを確認する。ステップＳ１２にて切替点に達したと判断された場合は、ステップＳ１３に進んで設定値の更新を一時停止する。ステップＳ１３の処理が終了するとゲイン操作処理は終了する。また、ステップＳ１２にて新たな設定値が切替点に達していないと判断された場合は、そのままゲイン操作処理は終了する。
ステップＳ１３において設定値の更新が一時停止されると、少しの時間をおいて一時停止は解除されて設定値は再び更新可能となる。この場合の少しの時間（一時停止長の時間）とは、パッド１１のオン／オフが切り替わることをユーザが認識できる長さとされる共に、ゲインの設定値を更新する処理を再開できる程度の時間とされ、例えば、一時停止長の時間は数秒の長さとされる。その時間の長さは、予め決められる。
【００１６】
また、ステップＳ１３における設定値の更新を一時停止するとは、ゲインの設定値を更新しないよう制御することであり、一時停止する手段として次に挙げる手段のいずれかを採用することができる。
（１）設定値を更新する指示をすべて無視する。
（２）操作子１４ａの操作を無視する。
（３）操作子１４ａを動かないように制御する。
（４）ゲイン操作処理の起動トリガーとなる検出を停止する。
（５）ゲイン操作処理の起動を禁止する。
なお、ユーザは、レベル調整装置１の出力をモニタしながらレベル調整装置１を調整しており、ゲインの更新が一時停止された時には、操作子１４ａを操作してもゲインが変化しなくなったり、操作子１４ａを動かせなくなったりすることから、ユーザはパッド１１の切り替えのタイミングを認識できるようになる。
【００１７】
図３に示すゲイン操作処理において、設定値の更新が一時停止され、一時停止を解除する所定の時間（一時停止長の時間）が経過した後で、最初に設定値の更新の指示が検出されたときに操作制御部１４において実行されるゲイン調整処理のフローチャートを図４に示す。
ゲイン調整処理が起動されると、ステップＳ２０にて、図３のステップＳ１３において実行されていた設定値の更新の一時停止が解除され、一時停止した設定値の更新に関する機能がすべて復帰される。次いで、ステップＳ２１にてパッド１１のオン／オフの設定状態が現在オンならオフへ、現在オフならオンへ変更される。そして、ステップＳ２２にてパッド１１のオン／オフの切替前後でゲインの設定値が保持されるように、可変調整部１２のアンプ１２ａのゲインの値が調整される。このステップＳ２２では、パッド１１のオン／オフ切替後のレベル調整装置１におけるゲインの設定値が、切替前のゲインの設定値と同じゲインになるように、可変調整部１２のアンプ１２ａのゲイン値が調整される。この場合、パッド１１がオフからオンへ切り替えられた場合は、可変調整部１２のアンプ１２ａのゲイン値を減衰器１１ａの減衰量分だけ増加し、パッド１１がオンからオフへ切り替えられた場合は、可変調整部１２のアンプ１２ａのゲイン値を減衰器１１ａの減衰量分だけ減少する。ステップＳ２２の処理が終了すると、ゲイン調整処理は終了する。
なお、パッド１１をオフからオンへ切り替えるゲインの設定値とパッド１１をオンからオフへ切り替えるゲインの設定値は、ゲイン範囲Ｃのうち任意の値であればよく、オフからオンへの切り替えとオンからオフへの切り替えとを異なる設定値としてもよい。
【００１８】
次に、本発明にかかるレベル調整装置１の第２実施例においては、操作子１４ａとしてエンドレス操作子とされるインクリメンタルタイプのロータリーエンコーダのようなノブ型操作子とすることができるが、操作子１４ａは回転操作とともに押込操作（プッシュ操作）も可能なプッシュ式のノブ型操作子とされる。これにより、レベル調整装置１の第２実施例においては、操作子１４ａの回転操作により可変調整部１２のアンプ１２ａのゲインの可変増減値を調整するゲイン調整操作と、プッシュ操作によりパッド１１のオン／オフを切り替えるパッド切替操作とを行うことができる。
このレベル調整装置１の第２実施例においては、パッド１１のオン／オフは操作制御部１４の操作子１４ａのユーザによるプッシュ操作により切り替えられるようになる。ただし、ゲインの設定値が上記した重なるゲイン範囲Ｃ内にある時に、操作子１４ａをプッシュ操作した時にだけパッド１１のオン／オフの切り替えは行われる。ここで、ゲインの設定値が重なるゲイン範囲Ｃ内にあると共にパッド１１がオンされている状態において、ユーザが操作子１４ａをプッシュ操作したとする。すると、操作制御部１４の切替部は、パッド１１のスイッチをオン側の接点ｂからオフ側の接点ａに切り替える指示をパッド１１に出力すると共に、パッド１１がオフされて減衰量（−２６ｄＢ）が０ｄＢとなるゲインを補うために、操作制御部１４の制御部が、パッド１１がオフされて増加したゲイン分（＋２６ｄＢ）だけアンプ１２ａのゲインが小さくなる制御信号を可変調整部１２に与えて、アンプ１２ａのゲインを調整する。これにより、パッド１１がオフされるよう切り替えられてもレベル調整装置１の全体のゲインは、パッド１１の切替前後において同じゲインが維持されるようになり、可変調整部１２から出力部１３へ出力される音響信号の音量は同じとなる。
【００１９】
また、ゲインの設定値が重なるゲイン範囲Ｃ内にあると共にパッド１１がオフされている状態において、ユーザが操作子１４ａをプッシュ操作したとする。すると、操作制御部１４の切替部は、パッド１１のスイッチをオフ側の接点ａからオン側の接点ｂに切り替える指示をパッド１１に出力すると共に、パッド１１がオンされて減衰器１１ａの減衰量（−２６ｄＢ）だけ減衰するゲインを補うために、操作制御部１４の制御部が、パッド１１の減衰量分（＋２６ｄＢ）だけアンプ１２ａのゲインが大きくなる制御信号を可変調整部１２に与えて、アンプ１２ａのゲインを調整する。これにより、パッド１１がオンされるよう切り替えられてもレベル調整装置１の全体のゲインは、パッド１１の切替前後において同じゲインが維持されるようになり、可変調整部１２から出力部１３へ出力される音響信号の音量は同じとなる。
本発明にかかるレベル調整装置１の第２実施例においては、パッド１１のオン／オフはユーザが操作制御部１４の操作子１４ａをプッシュ操作した時に切り替わるようになり、第１実施例のように切替点は設けられていない。そして、切替部がパッド１１のオン／オフを切り替えた時に、操作制御部１４の制御部がゲインの設定値の更新を一時停止する構成は、第１実施例と同様とされる。
【００２０】
本発明にかかるレベル調整装置１の第２実施例のレベル調整にかかる処理を、図５に示すゲイン操作処理２のフローチャートで説明する。
操作制御部１４は、所定時間毎に操作子１４ａの操作を検出しており、操作子１４ａのプッシュ操作が検出されると図５に示すゲイン操作処理２を起動する。ゲイン操作処理２が起動されると、ステップＳ３０にてレベル調整装置１に設定されているゲインの現在値が、上記した重なるゲイン範囲Ｃ内になるかが確認される。そして、ゲインの現在値が重なるゲイン範囲Ｃ内になるとステップＳ３１にて判断されると、ステップＳ３２に進み設定値の更新を一時停止する。ステップＳ３２の処理が終了するとゲイン操作処理２は終了する。また、ステップＳ３１にてゲインの現在値が重なるゲイン範囲Ｃ内にないと判断された場合は、そのままゲイン操作処理２は終了する。
ステップＳ３２における設定値の更新の一時処理は、前述したステップＳ１３における設定値の更新を一時停止する処理と同様であるので、その詳細説明は省略する。また、一時停止する手段として、上記に挙げた手段のいずれかを採用することができる。さらに、図５に示すゲイン操作処理２において、設定値の更新が一時停止され、一時停止を解除する所定の時間（一時停止長の時間）が経過した後で、最初に設定値の更新の指示が検出されたときに操作制御部１４においてゲイン調整処理２が実行されるが、ゲイン調整処理２は図４に示すゲイン調整処理と同様となるので、その説明は省略する。なお、ゲイン調整処理２では、更新の一時停止が解除され、パッド１１のオン／オフの設定状態が切り替えられ、その切替前後でのゲインの設定値を保持する処理が行われる。また、第２実施例においてゲイン範囲Ｃはパッド１１と可変調整部１２とがともにレベル調整にかかる範囲（本実施形態においては＋１０ｄＢ〜＋３４ｄＢの範囲）全体である必要はなく、この範囲の一部であってもよい。
【産業上の利用可能性】
【００２１】
本発明にかかるレベル調整装置は、デジタルミキサ等の音響信号処理装置にアナログ音響信号を入力する際のレベル調整に好適なレベル調整装置となる。なお、本発明にかかるレベル調整装置の第１実施例において、切替点は１つ設定されていればよく、重なるゲイン範囲のゲインであれば任意の値のゲインとすることができる。すなわち、切替点のゲインは、重なるゲイン範囲の限界値を使ってもよいし、ユーザが重なるゲイン範囲内の任意の値を設定してもよい。
以上説明した本発明にかかるレベル調整装置において、更新の一時停止中は操作子の操作を物理的に止めなくてもよいが、ゲインの設定値は更新しないように制御する。また、パッドのオン／オフが切り替えられる直前であることをユーザに告知する方法は、操作子を物理的に止める以外の方法でもよく、切替点に達した旨を表示することで告知したり、音を発して告知するなどの方法であってもよい。さらに、第２実施例におけるパッドのオン／オフ切替の方法は、プッシュ操作に替えて、プル操作などの他の方法でもよく、調整操作と切替操作とを行える別方法の操作であればどのような操作方法を採用してもよい。さらにまた、ゲイン調整用の操作子はノブ型操作子に限ることはなく、フェーダなどの他の形態の操作子でもよく、調整操作と切替操作の両方を行える操作子であればどのような操作子を採用してもよい。
また、パッド１１や可変調整部１２等を含むヘッドアンプ装置と、当該装置にゲイン設定指示を与えるコントローラとで構成したレベル調整装置として本発明を実施してもよい。この場合のコントローラは物理的な操作子を備えるものであってもよいし、グラフィカル・ユーザ・インタフェースにて操作指示を与えるソフトウェア動作によるものであってもよい。
【００２２】
また、本発明にかかるレベル調整装置においては、パッドのオン／オフ切替時に一時的にミュートをかけてノイズが出力されないようにしてもよい。さらに、一時停止の解除は一時停止長の時間を経過することが条件となっているがこの条件はなくしてもよく、一時停止後、経過した時間長は考慮せず、最初に設定値の更新の指示を検出したときに一時停止を解除するゲイン調整処理を起動して、一時停止の解除に関する処理を実行してもよい。
【符号の説明】
【００２３】
１  レベル調整装置、１０  入力部、１１  固定調整部（パッド）、１１ａ  減衰器、１２  可変調整部、１２ａ  アンプ、１３  出力部、１４  操作制御部、１４ａ  操作子、１００  レベル調整装置、１１１  パッド、１１１  固定調整部、１１２  可変調整部、１１３  操作制御部、１１３ａ  操作子
【図１】
2015185921.tif 000003
【図２】
2015185921.tif 000004
【図３】
2015185921.tif 000005
【図４】
2015185921.tif 000006
【図５】
2015185921.tif 000007
【図６】
2015185921.tif 000008